【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記Ｗｅｂページをアクセスするための通知メッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムであって、
前記端末装置は、
前記通知メッセージを受信する受信手段と、
前記通知メッセージに含まれるリンク情報を抽出し、その抽出されたリンク情報に基づいて前記サーバ装置へアクセスして前記画像メッセージを再生するためのＷｅｂページを表示するＷｅｂページ表示手段と、
前記Ｗｅｂページに含まれる前記画像メッセージをアクセスするためのリンク情報が指示された際に、画像メッセージを前記サーバ装置へアクセスして再生する画像メッセージ再生手段と、
を具備したことを特徴とする画像メッセージ伝達システム。
【請求項２】
前記受信手段は、ＳＩＰプロトコルにしたがったＳＩＰショートメッセージを受信し、
前記Ｗｅｂページ表示手段は、ＳＩＰショートメッセージに含まれるコマンド識別子を解析することにより、通常のテキストメッセージか前記Ｗｅｂページをアクセスするための通知メッセージかを判別する、
ことを特徴とする請求項１記載の画像メッセージ伝達システム。
【請求項３】
端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記Ｗｅｂページをアクセスするための通知メッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムにおいて、
前記端末装置のコンピュータを、
前記通知メッセージを受信する受信手段、
前記通知メッセージに含まれるリンク情報を抽出し、その抽出されたリンク情報に基づいて前記サーバ装置へアクセスして前記画像メッセージを再生するためのＷｅｂページを表示するＷｅｂページ表示手段、
前記Ｗｅｂページに含まれる前記画像メッセージをアクセスするためのリンク情報が指示された際に、画像メッセージを前記サーバ装置へアクセスして再生する画像メッセージ再生手段、
として機能させるためのプログラム。
【手続補正２】
【補正対象書類名】明細書
【補正対象項目名】発明の名称
【補正方法】変更
【補正の内容】
【発明の名称】画像メッセージ伝達システム及びプログラム
【手続補正３】
【補正対象書類名】明細書
【補正対象項目名】０００５
【補正方法】変更
【補正の内容】
【０００５】
この発明の課題は、何れかの端末装置から発信された同一の画像メッセージをその送信相手先である複数の端末装置に伝達する場合に、画像メッセージを複数の相手先に対して確実かつ合理的に伝達できるようにすることである。
【手続補正４】
【補正対象書類名】明細書
【補正対象項目名】０００６
【補正方法】変更
【補正の内容】
【０００６】
請求項１記載の発明は、端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記Ｗｅｂページをアクセスするための通知メッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムであって、前記端末装置は、前記通知メッセージを受信する受信手段と、前記通知メッセージに含まれるリンク情報を抽出し、その抽出されたリンク情報に基づいて前記サーバ装置へアクセスして前記画像メッセージを再生するためのＷｅｂページを表示するＷｅｂページ表示手段と、前記Ｗｅｂページに含まれる前記画像メッセージをアクセスするためのリンク情報が指示された際に、画像メッセージを前記サーバ装置へアクセスして再生する画像メッセージ再生手段と、を具備したことを特徴とする。
更に、コンピュータに対して、上述した請求項１記載の発明に示した主要機能を実現させるためのプログラムを提供する（請求項３記載の発明）。
ここで、画像メッセージは、動画メッセージに限らず、静止画メッセージあるいは動画と静止画が混在するメッセージであってもよい。
【手続補正５】
【補正対象書類名】明細書
【補正対象項目名】０００７
【補正方法】変更
【補正の内容】
【０００７】
なお、請求項１記載の発明は次のようなものであってもよい。
前記受信手段は、ＳＩＰプロトコルにしたがったＳＩＰショートメッセージを受信し、前記Ｗｅｂページ表示手段は、ＳＩＰショートメッセージに含まれるコマンド識別子を解析することにより、通常のテキストメッセージか前記Ｗｅｂページをアクセスするための通知メッセージかを判別する（請求項２記載の発明）。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
請求項１記載の発明によれば、端末装置が登録した画像メッセージを元に前記サーバ装置が画像メッセージを再生するためのＷｅｂページを生成すると共に送信相手先の端末装置にＷｅｂページをアクセスするための通知メッセージを送信し、Ｗｅｂページに対して送信相手先の端末装置が自動的にアクセスすることにより画像メッセージを再生するためのＷｅｂページを表示できるようにしたので、送信相手先の端末装置のユーザは、何もしないでも確実に画像メッセージの受信を目で確認することができ、受信した画像メッセージの再生を１クリックで指示できる。
【手続補正１５】
【補正対象書類名】明細書
【補正対象項目名】００１７
【補正方法】変更
【補正の内容】
【００１７】
また、画像メッセージを複数の相手先に一斉同報的に伝達する場合、画像メッセージの登録と画像メッセージの再生とを分離することができ、ネットワーク上のトラフィック対策のために広帯域回線などの整備が不用となってコスト的に有利となるほかに、画像メッセージの登録から再生までのタイムラグを最小限に留めることができ、さらには、伝達途中で伝達が停止するような事態も回避することができるなど、画像メッセージを複数の相手先に確実かつ合理的に伝達することが可能となり、実用効果の高いものとなる。
【手続補正１６】
【補正対象書類名】明細書
【補正対象項目名】００１８
【補正方法】変更
【補正の内容】
【００１８】
請求項２記載の発明によれば、上述した請求項１記載の発明と同様の効果を有する他、Ｗｅｂページをアクセスするための通知メッセージの通信にＳＩＰショートメッセージを用い、ＳＩＰショートメッセージに含まれるコマンド識別子を解析することにより、通常のテキストメッセージか前記Ｗｅｂページをアクセスするための通知メッセージかを判別するようにしたので、Ｗｅｂページをアクセスするための通知メッセージを電子メールと同様に取り扱うことができ、ＩＰネットワークを効率よく利用できる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】